(57)【特許請求の範囲】
【請求項１】
楽曲データを検索して再生する検索再生装置であって、
前記楽曲データとテンポとを関連づけて記録するデータベースと、
操作画面を表示する表示手段と、
検索再生装置の傾きに応じた姿勢信号を出力する傾斜角検出手段と、
該傾斜角検出手段からの前記姿勢信号に基づいて検索再生装置が傾けられた向きおよび傾斜角の大きさを算出することで、前記操作画面上のカーソルを検索再生装置が傾けられた向きおよび傾斜角の大きさに応じて移動させるカーソル移動手段と、
前記傾斜角検出手段から出力される前記姿勢信号をテンポ検出信号として用い、該テンポ検出信号が略周期的に閾値以上振幅する間隔を走行テンポとして検出するテンポ検出手段と、
該テンポ検出手段によって検出された前記走行テンポに基づいて前記データベースに記録された前記楽曲データを検索して再生する音声出力手段とを具備することを特徴とする検索再生装置。
【請求項２】
前記テンポ検出手段は、予め定められた所定時間以内に予め定められた第１基準数回連続して発生したパルス間の平均時間に基づいて前記走行テンポとして検出することを特徴とする請求項１記載の検索再生装置。
【請求項３】
前記テンポ検出手段は、前記平均時間を周期としたパルス検出期間とパルス非検出期間とが繰り返す検出窓信号を生成し、予め定められた第２基準数回連続して前記パルス検出期間にパルスが検出された場合に、前記平均時間を前記走行テンポとして検出することを特徴とする請求項２記載の検索再生装置。
【請求項４】
前記テンポ検出手段は、前記楽曲データの再生中にも前記走行テンポの検出動作を継続させ、
前記音声出力手段は、前記テンポ検出手段によって前記楽曲データの再生中に検出された新たな前記走行テンポに基づいて前記データベースに記録された前記楽曲データを検索して再生することを特徴とする請求項１乃至３のいずれかに記載の検索再生装置。
【発明の詳細な説明】
【技術分野】
【０００１】
本発明は、データベースに記録された楽曲データを検索して再生する検索再生装置に関し、特にユーザが携帯して使用する携帯型の検索再生装置に関する。
【背景技術】
【０００２】
近年、ＨＤＤ等の記録媒体の大容量化が進み、記録媒体に多数の楽曲データを記録させておくことができるようになった。そこで、多数の楽曲データの中からユーザが所望する楽曲データを如何にして効率良く検索するかが課題となり、楽曲データのタイトルやアーティスト名等の書誌事項以外の検索項目を用いることが提案されている。書誌事項以外の検索項目として、例えば楽曲データのテンポを用いることができ、テンポを楽曲データと共に記録媒体に記録させておき、ユーザが指定したテンポに基づいて楽曲データを検索することでユーザが所望する楽曲データを提供する（例えば、特許文献１参照）。
【０００３】
しかしながら、従来技術では、歩行やランニングのテンポに適合する楽曲データを検索する場合には、ユーザがテンポを指定しなければならないため、歩行やランニングのテンポを正確に指定することができず、ユーザが所望する楽曲データを検索することができないという問題点があった。
【特許文献１】特開平１０−１１４６３号公報
【発明の開示】
【発明が解決しようとする課題】
【０００４】
本発明は斯かる問題点に鑑みてなされたものであり、その目的とするところは、歩行やランニングのテンポに適合する楽曲データを検索する場合に、歩行やランニングのテンポを正確に特定し、ユーザが所望する楽曲データを検索することができる検索再生装置を提供する点にある。
【課題を解決するための手段】
【０００５】
本発明は上記課題を解決すべく、以下に掲げる構成とした。
本発明の検索再生装置は、楽曲データを検索して再生する検索再生装置であって、前記楽曲データとテンポとを関連づけて記録するデータベースと、操作画面を表示する表示手段と、検索再生装置の傾きに応じた姿勢信号を出力する傾斜角検出手段と、該傾斜角検出手段からの前記姿勢信号に基づいて検索再生装置が傾けられた向きおよび傾斜角の大きさを算出することで、前記操作画面上のカーソルを検索再生装置が傾けられた向きおよび傾斜角の大きさに応じて移動させるカーソル移動手段と、前記傾斜角検出手段から出力される前記姿勢信号をテンポ検出信号として用い、該テンポ検出信号が略周期的に閾値以上振幅する間隔を走行テンポとして検出するテンポ検出手段と、該テンポ検出手段によって検出された前記走行テンポに基づいて前記データベースに記録された前記楽曲データを検索して再生する音声出力手段とを具備することを特徴とする。
【０００７】
さらに、本発明の検索再生装置は、前記テンポ検出手段は、予め定められた所定時間以内に予め定められた第１基準数回連続して発生したパルス間の平均時間に基づいて前記走行テンポとして検出することを特徴とする。
【０００８】
さらに、本発明の検索再生装置は、前記テンポ検出手段は、前記平均時間を周期としたパルス検出期間とパルス非検出期間とが繰り返す検出窓信号を生成し、予め定められた第２基準数回連続して前記パルス検出期間にパルスが検出された場合に、前記平均時間を前記走行テンポとして検出することを特徴とする。
【０００９】
さらに、本発明の検索再生装置は、前記テンポ検出手段は、前記楽曲データの再生中にも前記走行テンポの検出動作を継続させ、前記音声出力手段は、前記テンポ検出手段によって前記楽曲データの再生中に検出された新たな前記走行テンポに基づいて前記データベースに記録された前記楽曲データを検索して再生することを特徴とする。
【発明の効果】
【００１０】
本発明の検索再生装置は、楽曲データとテンポとを関連づけてデータベースに記録しておき、装置の傾きに応じた姿勢信号に基づいて、装置に略周期的に加わる振動を走行テンポとして検出し、検出した走行テンポに基づいてデータベースに記録された楽曲データを検索して再生するように構成することにより、ユーザの手を煩わせることなく正確に検出された歩行やランニングのテンポに基づいて検索された楽曲データを再生することができるため、歩行やランニングのテンポに適合する楽曲データを検索する場合に、ユーザが所望する楽曲データを検索して再生することができるという効果を奏する。
【００１１】
さらに、本発明の検索再生装置は、予め定められた所定時間以内に予め定められた第１基準数回連続して発生したパルス間の平均時間を周期とし、パルス検出期間とパルス非検出期間とが繰り返す検出窓信号を生成し、予め定められた第２基準数回連続してパルス検出期間にパルスが検出された場合に、平均時間を走行テンポとして検出するように構成することにより、
歩行やランニングのように装置に略周期的に加わるパルスとは別要因のパルスを除去することができ、歩行やランニングのテンポをユーザの手を煩わせることなくより正確に検出することができるという効果を奏する。
【発明を実施するための最良の形態】
【００１２】
以下、本発明の実施の形態を図面に基づいて詳細に説明する。
【００１３】
図１は、本発明に係る検索再生装置の実施の形態の外観構成を示す斜視図であり、図２は、図１に示す検索再生装置の構成を示すブロック図であり、図３は、図１に示す検索再生装置の使用状態を説明するための説明図であり、図４は、図２に示す傾斜角検出部の出力例を示す図であり、図５は、図２に示す座標変換部における姿勢ベクトルの算出方法を説明する説明図であり、図６は、図２に示すセル情報記憶部に記憶されているセル情報例を示す図であり、図７は、図２に示す画面記憶部に記憶されている操作画面における指示キーの配列例を示す図であり、図８は、図２に示す変換テーブル記憶部に記憶されている変換テーブル例を示す図である。
【００１４】
本実施の形態の検索再生装置１は、記録媒体であるＨＤＤに記録された楽曲データを再生するＨＤＤプレーヤ等の携帯端末装置であり、図１を参照すると、全体が略矩形をなす筐体２の主面部に表示部３が設けられていると共に、筐体２の右側面部に操作キー４が設けられ、筐体２に形成されている図示しない出力端子に接続されたケーブル２０を介してヘッドフォン２１が接続されている。
【００１５】
筐体２内には、図２を参照すると、傾斜角検出部６と、ＡＤ変換部７と、座標変換部８と、セル情報記憶部９と、変換テーブル記憶部１０と、画面記憶部１１と、表示制御部１２と、カーソル制御部１３と、中央制御部１４と、データベース１５と、音声出力部１７とを備えている。
【００１６】
表示部３は、液晶ディスプレイ（ＬＣＤ）等の表示手段であり、再生する楽曲データのタイトル名、アーティスト名等の書誌データや再生時間等の各種案内情報が表示されると共に、操作の選択、音量の調整、楽曲データの検索、楽曲データの再生指示等の各種指示キーが表示される。なお、本実施の形態では、表示部３に案内情報と指示キーとを同一画面で表示するように構成したが、検索再生装置１の主面部に液晶ディスプレイ（ＬＣＤ）等の他の表示手段を設け、案内情報と指示キーとを別個の表示手段に表示させるようにしても良い。
【００１７】
操作キー４は、電源の投入および切断を指示する電源キー、ユーザが選択した機能（指示キー）の実行を指示する実行キーとして機能するものであり、操作キー４は、筐体２の右側面部の上部側、すなわち、図３に示すように、表示部３が設けられている主面部を上側にして検索再生装置１を右手で把持した状態で、親指で操作できる位置に配置されている。
【００１８】
傾斜角検出部６は、例えば、静電容量型、ピエゾ抵抗型、熱分布検知型等の加速度センサを用いた傾斜センサであり、図１を参照すると、主面部、すなわち表示部３の表示面と平行で互いに直交するＸ軸およびＹ軸と、主面部と垂直なＺ軸の傾きにそれぞれ応じたＸ軸のセンサ出力電圧Ｖｘ、Ｙ軸のセンサ出力電圧ＶｙおよびＺ軸のセンサ出力電圧Ｖｚを姿勢信号としてＡＤ変換部７に出力する。なお、本実施の形態では、Ｘ軸は、表示部３の上下方向に、Ｙ軸は、表示部３の左右方向にそれぞれ設定されている。
【００１９】
傾斜角検出部６として、固定されたビーム（梁）と可動するビーム（梁）とをそれぞれコンデンサの電極板と見立てて、ビーム間の距離の変動を静電容量値としてＸ軸、Ｙ軸、Ｚ軸（図１に示すように主面部と垂直な軸をＺ軸とする）の傾斜を検出する静電容量型３軸加速度センサを用いた場合には、図４に示すように、Ｘ軸、Ｙ軸、Ｚ軸の傾斜角に応じたセンサ出力電圧Ｖｘ、Ｖｙ、Ｖｚが姿勢信号として得られる。
【００２０】
ＡＤ変換部７は、傾斜角検出部６から出力される姿勢信号をデジタル信号に変換して座標変換部８に出力し、テンポ検出部１６および座標変換部８に出力する。
【００２１】
座標変換部８は、ＡＤ変換部７から入力された姿勢信号に基づいてＸ軸およびＹ軸をそれぞれ中心とする検索再生装置１のそれぞれの回転角θｘ、θｙをそれぞれ算出する。回転角θｘは、Ｙ軸およびＺ軸の傾斜角から、回転角θｙは、Ｘ軸およびＺ軸の傾斜角からそれぞれ求めることができる。以下、Ｘ軸を中心とする検索再生装置１の回転をピッチ方向の回転と称し、Ｙ軸を中心とする検索再生装置１の回転をロール方向の回転と称する。また、筐体２の主面部が重力方向に直交する場合の回転角θｘ、θｙを０度とし、表示部３の上方を下側に移動させるピッチ方向の回転をプラスとし、表示部３の下方を下側に移動させるピッチ方向の回転をマイナスとし、表示部３の右方を下側に移動させるロール方向の回転をプラスとし、表示部の左方を下側に移動させるロール方向の回転をマイナスとする。また、座標変換部８は、算出した回転角θｘ、θｙを合成することで、図５に示すように、検索再生装置１がどの向きに傾けられたかを示す角度θａと、検索再生装置１の傾斜角の大きさを示す長さｒとで表される姿勢ベクトルＲを算出してカーソル制御部１３に出力する。
【００２２】
セル情報記憶部９は、複数のセル（領域）からなるセル情報として記憶している記憶手段である。セル情報は、ＡＤ変換部７で算出される姿勢ベクトルＲにおける角度θａと長さｒとに基づいて分割された複数のセルからなり、姿勢ベクトルＲに基づいて１つのセルがカレントセルとして特定できるように構成されている。なお、セル情報におけるセルの個数は、画面記憶部１１に記憶されている複数の操作画面の中で、最も多く配列されている指示キーの数よりも多く設定されている。また、図６に示す例は、角度θａが９０°毎にｍ＝４に分割され、長さｒがｎ＝２に分割された８つのセルＳ（ｍ，ｎ：ｍ＝１，２，３，４、ｎ＝１，２）からなるセル情報である。
【００２３】
変換テーブル記憶部１０は、セル情報記憶部９に記憶されているセル情報の各セルと、指示キーとを関連づける変換テーブルを記憶している記憶手段である。変換テーブルは、画面記憶部１１に記憶されている各操作画面に対応してそれぞれ設けられており、例えば、図７（ａ）に示すような５つの指示キーＫ１〜Ｋ５が配列されている操作画面に対応して、図８（ａ）にセル情報の各セルと５つの指示キーＫ１〜Ｋ５と関連づける変換テーブルが、図７（ｂ）に示すような２つの指示キーＫ１〜Ｋ２が配列されている操作画面に対応して、図８（ｂ）にセル情報の各セルと２つの指示キーＫ１〜Ｋ２と関連づける変換テーブルがそれぞれ記憶されている。なお、指示キーが同じレイアウトで配列されている操作画面が複数ある場合には、変換テーブルを共用しても良いことは言うまでもない。
【００２４】
画面記憶部１１は、各種案内情報が表示される案内情報表示領域と、異なる操作が割り当てられた複数の指示キーとが配列され、指示キーを選択して実行することで行う操作を選択する操作画面を記憶している記憶手段であり、楽曲データの再生に関連する操作を行う再生画面、音量の調整を行う音量調整画面、楽曲データの検索を行う楽曲検索画面等が記憶されている。なお、画面記憶部１０に記憶されている各種画面の大きさは、表示部３の表示領域と同一である必要はなく、画面記憶部１０に記憶されている各種画面の方が表示部３の表示領域よりも大きい場合には、表示部３に部分的に表示され、スクロールによって表示エリアが移動される。
【００２５】
表示制御部１２は、中央制御部１４の制御に基づいて画面記憶部１１に記憶されている各種操作画面のいずれかを読み出して表示部３に表示すると共に、表示部３に表示した操作画面を特定する操作画面特定情報と、表示部３に表示した操作画面に配列されている指示キーに割り当てられた操作とをカーソル制御部１３に通知する。また、表示制御部１２は、表示部３に表示した操作画面に配列されている案内情報表示領域には、中央制御部１４からの指示に基づいて、再生する楽曲データのタイトル名、アーティスト名等の書誌データをデータベース１５から読み出して表示部３に表示する。
【００２６】
カーソル制御部１３は、表示部３に表示された操作画面上におけるカーソルの移動を制御する手段であり、セル情報記憶部９に記憶されているセル情報に基づいて、座標変換部８から入力される姿勢ベクトルＲに対応するセル（以下、カレントセルと称す）を特定すると共に、表示制御部１２から通知された操作画面特定情報に基づいて変換テーブル記憶部１０に記憶されている変換テーブルを特定し、特定した変換テーブルを用いて特定したカレントセルに関連づけられた指示キーを特定し、特定した指示キーにカーソルを移動させる。また、カーソル制御部１３は、操作キー４が押下されると、カーソルが位置する指示キーに割り当てられた操作を中央制御部１４に通知する。なお、カーソルとは、情報、領域、指示キー等の選択対象を選択した場合に、選択した選択対象の色を変えたり、反転処理をしたり、アンダーラインを表示したりして選択されていることを示すものであり、カーソルが移動されることにより、カーソルが位置する選択対象が選択される。
【００２７】
中央制御部１４は、カーソル制御部１３から通知される操作を、表示制御部１２および音声出力部１７を制御することで実行すると共に、電源切断状態で操作キー４が押下されると電源の投入制御を、電源投入状態で操作キー４が所定時間以上押下されると電源の切断制御を行う。なお、電源の切断制御は、操作画面のいずれかに電源切断操作が割り当てられた指示キーを設け、当該指示キーにカーソルを移動させた状態で操作キー４を押下することで実行されるようにしても良い。
【００２８】
データベース１５は、記録媒体であるＨＤＤであり、図示しない楽曲データ入力端子から入力された楽曲データが記録されていると共に、各楽曲データのタイトル名、アーティスト名等の書誌データおよびテンポが記録されている。
【００２９】
テンポ検出部１６は、ＡＤ変換部７から入力された姿勢信号に基づいて、歩行時やランニング時に検索再生装置１に加えられる略一定間隔の振動を検出することで、検索再生装置１に加えられる振動のテンポ（以下、走行テンポと称す）を検出し、検出した走行テンポを音声出力部１７に出力する。
【００３０】
音声出力部１７は、データベース１５に圧縮されて記憶されている楽曲データを伸長して再生するオーディオプレーヤであり、ケーブル２０を介して接続されたヘッドフォン２１から伸長した楽曲データを音声出力させる。音声出力部１７は、中央制御部１４によって特定された楽曲データの再生を行うと共に、テンポ検出部１６から入力された走行テンポに基づいて、走行テンポに最も近いテンポを有する楽曲データを特定し、特定した楽曲データの再生を行う。
【００３１】
次に、本実施の形態における指示キー選択動作について図９を参照して詳細に説明する。
図９は、本発明に係る検索再生装置の実施の形態における指示キー選択動作を説明するためのフローチャートである。
【００３２】
表示制御部１２は、中央制御部１４の制御に基づいて、指定された操作画面を画面記憶部１１から読み出して表示部３に表示すると（ステップＡ１）、表示部３に表示した操作画面を特定する操作画面特定情報をカーソル制御部１３に通知する（ステップＡ２）。
【００３３】
次に、座標変換部８は、傾斜角検出部６から出力され、ＡＤ変換部７によってデジタル信号に変換された姿勢情報の姿勢信号に基づいてＸ軸、Ｙ軸の回転角θｘ、θｙをそれぞれ算出し（ステップＡ３）、算出した回転角θｘ、θｙを合成することで、検索再生装置１がどの向きに傾けられたかを示す角度θａと、検索再生装置１の傾斜角の大きさを示す長さｒとで表される姿勢ベクトルＲを算出する（ステップＡ４）。
【００３４】
次に、カーソル制御部１３は、セル情報記憶部９に記憶されているセル情報に基づいて、座標変換部８から入力される姿勢ベクトルＲに対応するカレントセルを特定すると共に（ステップＡ５）、表示制御部１２から通知された操作画面特定情報に基づいて変換テーブル記憶部１０に記憶されている変換テーブルを特定し、特定した変換テーブルを用いて特定したカレントセルに関連づけられた指示キーを特定し（ステップＡ６）、特定した指示キーにカーソルを移動させる（ステップＡ７）。なお、図６には、座標変換部８で算出された姿勢ベクトルＲによってセルＳ１，２がカレントセルとして特定された状態が示されている。また、図７（ａ）には、図８（ａ）に示す変換テーブルによってカレントセルであるセルＳ１，２が指示キーＫ１に変換され、指示キーＫ１にカーソルが移動された状態が示されていると共に、図７（ｂ）には、図８（ｂ）に示す変換テーブルによってカレントセルであるセルＳ１，２が指示キーＫ１に変換され、指示キーＫ１にカーソルが移動された状態が示されている。
【００３５】
次に、カーソル制御部１３は、操作キー４が押下されたか否かを判断し（ステップＡ８）、操作キー４が押下された場合には、カーソルが位置する指示キーに割り当てられた操作を中央制御部１４に通知し、中央制御部１４は、カーソル制御部１３から通知される操作を、表示制御部１２、音声出力部１７、テンポ検出部１６を制御することで実行する（ステップＡ９）。
【００３６】
表示制御部１２は、カーソル制御部１３から通知される操作に操作画面の切り換え、すなわち新たな操作画面の表示が伴うか否かを判断し（ステップＡ１０）、操作画面の切り換えが伴う場合には、ステップＡ１に戻って新たな操作画面を画面記憶部１１から読み出して表示部３に表示する。
【００３７】
また、ステップＡ８で操作キー４が押下されない場合と、ステップＡ１０で操作画面の切り換えが伴わない場合とには、ステップＡ３に戻り、座標変換部８は、傾斜角検出部６から出力され、ＡＤ変換部７によってデジタル信号に変換された姿勢情報の姿勢信号に基づいてＸ軸、Ｙ軸の回転角θｘ、θｙをそれぞれ算出する。
【００３８】
次に、本発明の実施の形態におけるテンポ検索再生モードについて図１０乃至図１４を参照して詳細に説明する。
図１０は、本発明に係る検索再生装置の実施の形態におけるテンポ検索再生モード設定時の検索再生動作を説明するためのフローチャートであり、図１１は、図２に示す傾斜角検出部からの歩行時およびランニング時の出力例を示す図であり、図１２は、図２に示すテンポ検出部におけるテンポ検出動作を説明するためのフローチャートであり、図１３および図１４は、図２に示すテンポ検出部におけるテンポ検出動作を説明するための説明図である。
【００３９】
画面記憶部１１には、テンポ検索再生モードへの設定が割り当てられている指示キーが配列された操作画面が記憶されており、上述の指示キー選択動作によってテンポ検索再生モードが設定されると（ステップＢ１）、中央制御部１４は、テンポ検出部１６に走行テンポの検出を指示すると共に、テンポ検出部１６によって検出された走行テンポに基づく楽曲データの検索および再生を音声出力部１７に指示する。
【００４０】
テンポ検出部１６は、ＡＤ変換部７から入力される姿勢信号をテンポ検出信号として用い、テンポ検出信号から走行テンポを検出し（ステップＢ２）、検出した走行テンポを音声出力部１７に出力する。
【００４１】
検索再生装置１を携帯した状態でユーザが歩行した場合には、図１０（ａ）に示すように、傾斜角検出部６から出力されるＸ軸のセンサ出力電圧Ｖｘは、携帯された検索再生装置１の姿勢に対応して出力されるセンサ出力電圧ＶｘＬを基準とし、周期が１秒程度の比較的小振幅のパルスが発生する。また、検索再生装置１を携帯した状態でユーザがランニングした場合には、図１０（ｂ）に示すように、傾斜角検出部６から出力されるＸ軸のセンサ出力電圧Ｖｘは、携帯された検索再生装置１の姿勢に対応して出力されるセンサ出力電圧ＶｘＬを基準とし、周期が１秒以下の比較的大振幅のパルスが発生する。なお、図１０に示す例では、Ｘ軸のセンサ出力電圧Ｖｘの波形のみを記載したが、Ｙ軸のセンサ出力電圧ＶｙもしくはＺ軸のセンサ出力電圧Ｖｚにも同様にパルスが発生すると共に、Ｘ軸のセンサ出力電圧Ｖｘ、Ｙ軸のセンサ出力電圧Ｖｙ、Ｚ軸のセンサ出力電圧Ｖｚの２軸もしくは３軸の値を二乗平均しても同様にパルスが発生する。従って、テンポ検出信号としてＸ軸のセンサ出力電圧Ｖｘ、Ｙ軸のセンサ出力電圧ＶｙもしくはＺ軸のセンサ出力電圧Ｖｚのいずれか、又は２軸もしくは３軸の値の二乗平均を用いることができ、本実施の形態では、Ｘ軸のセンサ出力電圧Ｖｘをテンポ検出信号として用いた。
【００４２】
従って、テンポ検出部１６における走行テンポの検出は、ＡＤ変換部７から入力される姿勢信号（Ｘ軸のセンサ出力電圧Ｖｘ）をテンポ検出信号として用いて行われ、図１１を参照すると、まず、テンポ検出部１６は、テンポ検出信号において予め定められた所定時間以内に予め定められた第１基準数Ｎ１回のパルスが発生したか否かを判断し（ステップＣ１）、予め定められた所定時間以内に予め定められた第１基準数Ｎ１回のパルスが発生するまでステップＣ１の動作を繰り返す。なお、パルスの発生は、図１３を参照すると、携帯された検索再生装置１の姿勢に対応して出力されるセンサ出力電圧ＶｘＬを基準とし、テンポ検出信号が歩いたりランニングしたりした場合の着地時に発生するパルス状の波形か否かを判別する閾値Ｖｔｈ（実験的に定められた値）以上振幅した場合に検出される。
【００４３】
図１３に示すように、予め定められた所定時間以内に予め定められた第１基準数（Ｎ１＝４）回のパルスが発生した場合には、テンポ検出部１６は、検出窓信号を生成する（ステップＣ２）。なお、検出窓信号は、歩行時やランニング時にある程度一定間隔でパルスが発生することを前提に、別要因のパルスの除去と、パルスの振幅がたまたま小さい場合でも補間することを目的に発生させる信号であり、検出された第１基準数（Ｎ１＝４）回のパルスの間隔ｔ０、ｔ１、ｔ２の平均時間ｔｗ１を周期とし、周期毎に平均時間ｔｗ１＊０．３のパルス検出期間が設定された信号であり、図１３に示す例では、検出窓信号がHighの時がパルス検出期間となり、検出窓信号がLowの時がパルス非検出期間となる。
【００４４】
次に、テンポ検出部１６は、周期的なパルス検出期間において、第２基準回数Ｎ２回連続してパルスが発生したか否かを判断し（ステップＣ３）、図１４に示すように、第２基準回数（Ｎ２＝３）回連続してパルスが発生していない場合には、ステップＣ２で生成した検出窓信号を解除し（ステップＣ４）、ステップＣ１に戻る。
【００４５】
ステップＣ３で、図１３に示すように、第２基準回数（Ｎ２＝３）回連続してパルスが発生した場合には、検出された第１基準数（Ｎ１＝４）回のパルスの間隔ｔ０、ｔ１、ｔ２の平均時間ｔｗ１を走行テンポとして決定し（ステップＣ５）、決定した走行テンポを音声出力部１７に出力する。なお、本実施の形態では、走行テンポの検出精度を向上させるために、周期的にパルス検出期間とパルス非検出期間とが繰り返す検出窓信号を生成し、第２基準回数（Ｎ２＝３）回連続してパルスが発生した場合に、検出窓信号の周期、すなわち平均時間ｔｗ１を走行パルスとして決定するように構成したが、予め定められた所定時間以内に予め定められた第１基準数（Ｎ１＝４）回のパルスが発生した時点で平均時間ｔｗ１を走行パルスとして決定しても良い。
【００４６】
次に、テンポ検出部１６は、周期的なパルス検出期間において、第３基準回数Ｎ３回連続してパルスの発生が発生しなかったか否かを判断し（ステップＣ６）、第３基準回数Ｎ３回連続してパルスの発生が発生しなかったことが検出されるまでステップＣ６の動作を繰り返す。ステップＣ６において、図１４に示すように、第３基準回数（Ｎ３＝３）回連続してパルスの発生が発生しなかったことが検出された場合には、ステップＣ４に至り、テンポ検出部１６は、ステップＣ２で生成した検出窓信号を解除する。
【００４７】
このように、テンポ検索再生モードでは、テンポ検出部１６において走行テンポが随時検出され、検出された走行テンポが音声出力部１７に出力されることになる。
【００４８】
テンポ検出部１６から走行テンポが入力された音声出力部１７は、走行テンポに基づいてデータベース１５を検索して走行テンポに最も近いテンポを有する楽曲データを特定し（ステップＢ３）、特定した楽曲データを再生、すなわちケーブル２０を介し伸長した楽曲データをヘッドフォン２１に出力してヘッドフォン２１から音声出力させる（ステップＢ４）。これにより、ユーザが歩行もしくはランニングをしている状況に最も適合した楽曲データが再生されることになる。
【００４９】
次に、音声出力部１７は、特定した楽曲データの再生が終了したか否かを判断すると共に（ステップＢ５）、特定した楽曲データの再生中に新たな走行テンポが検出されたか否かを判断する（ステップＢ６）。
【００５０】
ステップＢ５で特定した楽曲データの再生が終了し、且つステップＢ６で特定した楽曲データの再生中に新たな走行テンポが検出されない場合には、ステップＢ４に戻って先に特定した楽曲データを再度再生する。すなわち、特定した再生中において走行テンポに変化がない場合に該当し、走行テンポに変化がないため、最も走行テンポに近いテンポを有する楽曲データが再度再生されることになる。
【００５１】
また、ステップＢ５で特定した楽曲データの再生が終了し、且つステップＢ６で特定した楽曲データの再生中に新たな走行テンポが検出された場合には、ステップＢ３に戻って新たに検出された走行テンポに最も近いテンポを有する楽曲データを特定する。すなわち、特定した再生中において走行テンポに変化があった場合に該当し、新たな走行テンポに最も近いテンポを有する楽曲データが再度特定されて再生されることになる。
【００５２】
なお、本実施の形態では、ステップＢ３において、走行テンポに最も近いテンポを有する楽曲データを１曲のみ特定するように構成したが、走行テンポに近いテンポを有する楽曲データを走行テンポに最も近いテンポを有する楽曲データから順次複数曲特定するように構成しても良く、この場合には、ステップＢ４において、複数特定された楽曲データを走行テンポに最も近いテンポを有する楽曲データから順次もしくはランダムに再生するようにすると良い。
【００５３】
以上説明したように、本実施の形態によれば、楽曲データとテンポとを関連づけてデータベース１５に記録しておき、傾斜角検出部６によって検索再生装置１の傾きに応じた姿勢信号を出力し、テンポ検出部１６が姿勢信号に基づいて検索再生装置１に略周期的に加わる振動を走行テンポとして検出し、音声出力部１７が走行テンポに基づいてデータベース１５に記録された楽曲データを検索して再生するように構成することにより、ユーザの手を煩わせることなく正確に検出された歩行やランニングのテンポに基づいて検索された楽曲データを再生することができるため、歩行やランニングのテンポに適合する楽曲データを検索する場合に、ユーザが所望する楽曲データを検索して再生することができるという効果を奏する。
【００５４】
さらに、本実施の形態によれば、テンポ検出部１６は、予め定められた所定時間以内に予め定められた第１基準数回連続して発生したパルス間の平均時間を周期とし、パルス検出期間とパルス非検出期間とが繰り返す検出窓信号を生成し、予め定められた第２基準数回連続してパルス検出期間にパルスが検出された場合に、平均時間を走行テンポとして検出するように構成することにより、歩行やランニングのように装置に略周期的に加わるパルスとは別要因のパルスを除去することができ、歩行やランニングのテンポをユーザの手を煩わせることなくより正確に検出することができるという効果を奏する。
【００５５】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００５６】
【図１】本発明に係る検索再生装置の実施の形態の外観構成を示す斜視図である。
【図２】図１に示す検索再生装置の構成を示すブロック図である。
【図３】図１に示す検索再生装置の使用状態を説明するための説明図である。
【図４】図２に示す傾斜角検出部の出力例を示す図である。
【図５】図２に示す座標変換部における姿勢ベクトルの算出方法を説明する説明図である。
【図６】図２に示すセル情報記憶部に記憶されているセル情報例を示す図である。
【図７】図２に示す画面記憶部に記憶されている操作画面における指示キーの配列例を示す図である。
【図８】図２に示す変換テーブル記憶部に記憶されている変換テーブル例を示す図である。
【図９】本発明に係る検索再生装置の実施の形態における指示キー選択動作を説明するためのフローチャートである。
【図１０】本発明に係る検索再生装置の実施の形態におけるテンポ検索再生モード設定時の検索再生動作を説明するためのフローチャートである。
【図１１】図２に示す傾斜角検出部からの歩行時およびランニング時の出力例を示す図である。
【図１２】図２に示すテンポ検出部におけるテンポ検出動作を説明するためのフローチャートである。
【図１３】図２に示すテンポ検出部におけるテンポ検出動作を説明するための説明図である。
【図１４】図２に示すテンポ検出部におけるテンポ検出動作を説明するための説明図である。
【符号の説明】
【００５７】
１  検索再生装置
２  筐体
３  表示部
４  操作キー
６  傾斜角検出部
７  ＡＤ変換部
８  座標変換部（回転角算出手段）
９  セル情報記憶部
１０  変換テーブル記憶部
１１  画面記憶部
１２  表示制御部
１３  カーソル制御部
１４  中央制御部
１５  データベース
１６  テンポ検出部
１７  音声出力部
２０  ケーブル
２１  ヘッドフォン
【図１】
0004669776.tif 000002
【図２】
0004669776.tif 000003
【図３】
0004669776.tif 000004
【図４】
0004669776.tif 000005
【図５】
0004669776.tif 000006
【図６】
0004669776.tif 000007
【図７】
0004669776.tif 000008
【図８】
0004669776.tif 000009
【図９】
0004669776.tif 000010
【図１０】
0004669776.tif 000011
【図１１】
0004669776.tif 000012
【図１２】
0004669776.tif 000013
【図１３】
0004669776.tif 000014
【図１４】
0004669776.tif 000015